(57)【要約】【課題】本発明はピボット状の支柱に支持されていて、着用者の動きに応じて細かく揺動することにより装飾体上の宝石等がキラキラ輝くばかりか、装飾体は自由に回転することが可能であってより装飾性に優れており、また部品点数が少なく、その組み付けも簡単な揺動・回転装身具を提供しようとする。【解決手段】装身具本体の適宜位置に設けた装飾体を収納する凹部と、該凹部の底面に立設されたピボット状の支柱と、該支柱に取り付けられるピボット軸受状の凹面を設けた軸孔を備え、その周辺に適宜宝石類を配置して、前記装身具本体の凹部に収納した揺動・回転可能な装飾体と、前記装飾体の揺動・回転を許容する隙間を空けて装身具本体の前記凹部の周囲に取り付けることにより、装飾体を揺動・回転可能に保持する装飾体保持手段とを有することを特徴とする揺動・回転装身具。【選択図】  図１０
2015039541.tif 000002
【特許請求の範囲】
【請求項１】
装身具本体の適宜位置に設けた装飾体を収納する凹部と、該凹部の底面に立設されたピボット状の支柱と、該支柱に取り付けられるピボット軸受状の凹面を設けた軸孔を備え、その周辺に適宜装飾部材を配置して、前記装身具本体の凹部に収納した揺動・回転可能な装飾体と、前記装飾体の揺動・回転を許容する隙間を空けて装身具本体の前記凹部の周囲に取り付けることにより、装飾体を揺動・回転可能に保持する装飾体保持手段とを有することを特徴とする揺動・回転装身具。
【請求項２】
前記装身具本体の適宜位置に設けた装飾体を収納する凹部は、有底の皿状構造に形成されており、前記ピボット状の支柱は該皿状構造の凹部の底部に立設されていることを特徴とする請求項1に記載の揺動・回転装身具。
【請求項３】
前記装身具本体の適宜位置に設けた装飾体を収納する凹部は、筒状構造に形成されており、前記ピボット状の支柱は該筒状構造の凹部の下部に帯状に差し渡された底板上に立設されていることを特徴とする請求項1に記載の揺動・回転装身具。
【請求項４】
前記装飾体のピボット軸受状の凹面は、前記装飾体上面のほぼ中央から膨出するよう形成され、前記装飾体は該膨出部の周辺に適宜装飾部材を配置していることを特徴とする請求項1ないし３のいずれかに記載の揺動・回転装身具。
【発明の詳細な説明】
【技術分野】
【０００１】
本発明は揺動するとともに、回転することができる装飾性に優れた装身具に係るものである。
【背景技術】
【０００２】
従来より、回転軸を内蔵して宝石台等を備えた装飾部を回転させる、回転あるいは回動機能を持った指輪等の回転装身具が知られている。
同様に、宝石台等を備えた装飾部を吊り構造によって装身具に揺動可能に取り付け、揺動機能を持たせた指輪等の揺動装身具も提案されている。
【０００３】
例えば、特開昭５３−１０８５８５号公報（特許文献１参照）には、指輪の宝石台に相当する位置に回転軸により支持された台板を旋回可能に取り付け、該台板の上にダイヤを取り付けた指輪構造が提案されている。
他方、特開２００９−２６８５７３号公報（特許文献２参照）には、指輪の宝石台に相当する位置にダイヤ等の宝石を収納した台座の少なくとも対向する１対の辺を、複数の丸環等で前記宝石台に相当する位置の側面に揺動可能に取り付けた装飾具が提案されている。
【先行技術文献】
【特許文献】
【０００４】
【特許文献１】特開昭５３−１０８５８５号公報
【特許文献２】特開２００９−２６８５７３号公報
【発明の概要】
【発明が解決しようとする課題】
【０００５】
しかるに、特開昭５３−１０８５８５号公報（特許文献１参照）においては、前記回転軸により支持された台板を単に旋回させるに過ぎないため、動きが単純で着用者が飽きてしまうという欠点があった。
回転軸と軸受とが摩耗等によってスムーズに回転しなくなりやすく、特に装飾効果を高めるために回転軸からずらした位置に宝石等を搭載した場合には、その傾向が顕著に表れてしまう。
【０００６】
また、特開２００９−２６８５７３号公報（特許文献２参照）においては、前記複数の丸環等で前記宝石台を指輪等に揺動可能に取り付けてあるため、着用者の動きに応じて細かく揺動し、前記宝石台上の宝石等がキラキラ輝くという効果があるものの、宝石台が丸環等の装着部を支点としてスイングするという機構であり、やはりその動きが限定的であるという問題点があった。
【０００７】
本発明は上記した従来の回転装身具や揺動装身具の問題点を改良したものであり、ピボット状の支柱に支持されていて、着用者の動きに応じて細かく揺動することにより装飾体上の宝石等がキラキラ輝くばかりか、装飾体は自由に回転することが可能であってより装飾性に優れており、また部品点数が少なく、その組み付けも簡単な揺動・回転装身具を提供しようとするものである。
【課題を解決するための手段】
【０００８】
すなわちこの発明の揺動・回転装身具は、装身具本体の適宜位置に設けた装飾体を収納する凹部と、該凹部の底面に立設されたピボット状の支柱と、該支柱に取り付けられるピボット軸受状の凹面を設けた軸孔を備え、その周辺に適宜装飾部材を配置して、前記装身具本体の凹部に収納した揺動・回転可能な装飾体と、前記装飾体の揺動・回転を許容する隙間を空けて装身具本体の前記凹部の周囲に取り付けることにより、装飾体を揺動・回転可能に保持する装飾体保持手段とを有することを特徴とするものである。
【０００９】
この発明の揺動・回転装身具において、前記装身具本体の適宜位置に設けた装飾体を収納する凹部は、有底の皿状構造に形成されており、前記ピボット状の支柱は該皿状構造の凹部の底部に立設されていることをも特徴とするものである。
【００１０】
この発明の揺動・回転装身具において、前記装身具本体の適宜位置に設けた装飾体を収納する凹部は、筒状構造に形成されており、前記ピボット状の支柱は該筒状構造の凹部の下部に帯状に差し渡された底板上に立設されていることをも特徴とするものである。
【００１１】
この発明の揺動・回転装身具は、前記装飾体のピボット軸受状の凹面は、前記装飾体上面のほぼ中央から膨出するよう形成され、前記装飾体は該膨出部の周辺に適宜装飾部材を配置していることをも特徴とするものである。
【発明の効果】
【００１２】
請求項１および２の発明によれば、ピボット状の支柱に支持されていて、着用者の動きに応じて細かく揺動することにより装飾体上の宝石等からなる装飾部材がキラキラ輝くばかりか、装飾体は自由に回転することが可能でより装飾性に優れており、また部品点数が少なく、その組み付けも簡単な揺動・回転装身具を提供することが可能となった。
【００１３】
請求項３の発明によれば、前記ピボット状の支柱は該筒状構造の凹部の下部に帯状に差し渡された底板上に立設されているので、あらかじめ底板に支柱を取り付けた上で装身具本体に組付けることができて組み付けが簡単であり、かつ軽量化によりコストを大幅に低減することができる。
請求項４の発明によれば、前記装飾体のピボット軸受状の凹面は、前記装飾体上面のほぼ中央から膨出するよう形成されていて、その周辺に適宜宝石類を配置すれば装飾体の装飾性を何ら損なうことがなく、かつ装飾体をピボット状の支柱にバランス良く支持することが可能な揺動・回転装身具を提供することができる。
【図面の簡単な説明】
【００１４】
【図１】本発明の揺動・回転装身具を指輪に適用した第１の実施例を示す、支柱を取り付けた状態の装身具本体の正面図である。
【図２】その平面図である。
【図３】その断面図である。
【図４】装飾体の正面図である。
【図５】その平面図である。
【図６】その底面図である。
【図７】その断面図である。
【図８】リング状の装飾体保持手段の正面図である。
【図９】その平面図である。
【図１０】その底面図である。
【図１１】その断面図である。
【図１２】各パーツを組み付けた状態の正面図である。
【図１３】その断面図である。
【図１４】ピボット状の支柱に支持された装飾体が揺れる状態を示す断面図である。
【図１５】各パーツの分解状態の断面図である。
【図１６】各パーツの分解状態の斜視図である。
【図１７】中央で切断した各パーツの分解状態の断面図である。
【図１８】ピボット状の支柱に装飾体を組み付けた状態の断面図である。
【図１９】ピボット状の支柱に装飾体を組み付けた状態の斜視図である。
【図２０】各パーツを組み付けた状態の斜視図である。
【図２１】中央で切断したピボット状の支柱に装飾体を組み付けた状態の断面図である。
【図２２】中央で切断した各パーツを組み付けた状態の断面図である。
【図２３】本発明の揺動・回転装身具を指輪に適用した第２の実施例を示す、支柱を取り付けた状態の装身具本体の正面図である。
【図２４】その平面図である。
【図２５】その断面図である。
【図２６】各パーツを組み付けた状態の正面図である。
【図２７】その断面図である。
【図２８】ピボット状の支柱に支持された装飾体が揺れる状態を示す断面図である。
【発明を実施するための形態】
【００１５】
以下、図面に基いて本発明の揺動・回転装身具を指輪に適用した実施の形態について詳細に説明する。
図１ないし図２２は本発明の揺動・回転装身具を指輪に適用した第１の実施例を示すものである。
まず図１ないし図３において、前記指輪を構成する装身具本体１１は、その適宜位置に設けた装飾体を収納する凹部１２と、該凹部１２の底面に立設されたピボット状の支柱１３とを備えている。
より詳しくは、前記装身具本体１１の適宜位置に設けた装飾体を収納する凹部１２は、有底の皿状構造に形成されており、前記ピボット状の支柱１３は該皿状構造の凹部１２の底部に立設されている。したがって、あらかじめ前記凹部１２の底部に支柱１３を一体的に成形したり、ロー付け等の手段で取り付けた上、装身具本体１１にロー付け等の手段で組付けることができる。
【００１６】
図４ないし図７は、前記装身具本体１１の適宜位置に設けた凹部１２に収納する装飾体２１を示すものである。
該装飾体２１は、前記支柱１３にはめ込んで揺動・回転自在に取り付けられるピボット軸受状の凹面２２ａを設けた軸孔２２を備え、その周辺には適宜宝石類を配置してある。
より詳しくは、前記装飾体２１のピボット軸受状の凹面２２ａは、前記装飾体２１上面のほぼ中央から膨出するよう形成され、前記装飾体２１は該膨出部２３の周辺に適宜宝石類２４等からなる装飾部材を配置している。すなわち、前記膨出部２３の周辺に所定の間隔で爪止め用の爪２５を立設し、図では６個の宝石類２４をそれぞれ４本の爪２５で固定するようにしてある。もちろん装飾部材としては宝石類２４に限定されるものではなく、彫金や各種の塗膜、その他の手段で装飾性を向上させるようにすることができる。
したがって、前記膨出部２３の周辺に適宜宝石類２４を配置すれば、装飾体２１の装飾性を何ら損なうことがなく、かつ装飾体２１をピボット状の支柱１３にバランス良く支持することができる。
なお、図において２１ａは、後述のリング状の装飾体保持手段３１に係合させて装飾体２１を抜け止めするためのフランジ部である。
【００１７】
また、図８および図１１は、前記装飾体２１の揺動・回転を可能とする隙間を空けて装身具本体１１の前記凹部１２の周囲に取り付けることにより、装飾体２１を揺動・回転可能に保持するリング状の装飾体保持手段３１を示すものである。図ではこの装飾体保持手段３１は外周側から内周側に向けて肉厚となるテーパ状に形成されており、前記装身具本体１１の凹部１２の外縁部分に、リング状の装飾体保持手段３１をロー付け等の手段で固定するものである。
【００１８】
図１２および図１３は、前記装身具本体１１、装飾体２１および装飾体保持手段３１の各パーツを組み付けた状態を示すものである。
前記装身具本体１１の皿状構造の凹部１２の上端には、前記装飾体保持手段３１がその外縁をロー付け等の手段で取り付けられており、前記装飾体２１の外周は前記装飾体保持手段３１との間に、所定の隙間を開けて保持されてある。
したがって前記装飾体２１は、前記装身具本体１１のピボット状の支柱１３を介して揺動・回転自在に保持されているのであって、図１４のように前記装飾体２１はピボット状の支柱１３に対して所定の角度傾くことができるのである。
【００１９】
以上の各パーツの組み付けに際しては、次のような工程で組み付けが行われる。
１）まず図１５〜図１７は各パーツの分解状態を示す。
２）次に、図１８、図１９、図２１に示すように、前記装身具本体１１の凹部１２内に装飾体２１を収納し、前記支柱１３にはめ込んで該凹部１２内に装飾体２１を揺動・回転自在に取り付ける。
２）最後に図１３、図２０および図２２に示すように、前記装身具本体１１の凹部１２の外縁部分に、リング状の装飾体保持手段３１をロー付け等の手段で固定し、前記装飾体２１のフランジ部２１ａに揺動・回転を許容する遊びを持たせた上で係合させる。
【００２０】
上記実施例によれば、前記装飾体２１はピボット状の支柱１３に支持されていて、着用者の動きに応じて細かく揺動することにより装飾体２１上の宝石類２４がキラキラ輝くばかりか、前記装飾体２１は同時に自由に回転することが可能であるため、より複雑な動きを呈するようになり、したがって非常に装飾性に優れた指輪を提供することができる。
また上述のように部品点数が少なく、その組み付けも非常に簡単な揺動・回転指輪を提供することが可能となった。
【００２１】
図２３ないし図２８は本発明の揺動・回転装身具を指輪に適用した第２の実施例を示すものである。
まず図２３ないし図２５において、前記指輪を構成する装身具本体４１は、その適宜位置に設けた装飾体を収納する凹部４２と、該凹部４２の底部に立設されたピボット状の支柱４３とを備えている。
より詳しくは、前記装身具本体４１の適宜位置に設けた装飾体を収納する凹部４２は、筒状構造に形成されており、前記ピボット状の支柱４３は該筒状構造の凹部４２の下部に帯状に差し渡された底板４４上に立設されている。したがって、あらかじめ底板４４に支柱４３を一体的に成形したり、ロー付け等の手段で取り付けた上、装身具本体４１にロー付け等の手段で組付けることができる。
以上の筒状構成を採用することにより製品の軽量化を図ることができ、使用中に溜まった内部の汚れを洗浄することもできる。
【００２２】
前記装身具本体４１の適宜位置に設けた凹部４２に収納する装飾体５１は、図４ないし図７と同じものを採用することができる。
また、前記装飾体５１を揺動・回転可能に保持するリング状の装飾体保持手段６１も、図８ないし図１１と同じものを採用することができる。
【００２３】
図２６および図２７は、前記装身具本体４１、装飾体５１および装飾体保持手段６１の各パーツを組み付けた状態を示すものである。
前記装身具本体４１の筒状構造の凹部４２の上端には、前記装飾体保持手段６１がその外縁をロー付け等の手段で取り付けられており、前記装飾体５１の外周は前記装飾体保持手段６１との間に、所定の隙間を開けて保持されてある。
したがって前記装飾体５１は、前記装身具本体４１のピボット状の支柱４３を介して揺動・回転自在に保持されているのであって、図２８のように前記装飾体５１はピボット状の支柱４３に対して所定の角度傾くことができるのである。
以上の各パーツの組み付けに際しては、第１の実施例の場合と同様の工程で組み付けが行うことができる。
【産業上の利用可能性】
【００２４】
本発明は以上の通りの構成を有するものであり、上記各実施例において説明した指輪としてのみならず、ペンダントやブレスレット、ブローチ、イヤリングその他の広範囲な装身具に応用することができる。
なお、前記装飾体には宝石類を取り付けるように説明したが、装飾性を備えていれば宝石類に代えて種々の装飾材料を適用できることはいうまでもない。
【符号の説明】
【００２５】
１１  装身具本体
１２  凹部
１３  支柱
２１  装飾体
２１ａ  フランジ部
２２  軸孔
２２ａ  凹面
２３  膨出部
２４  宝石類
２５  爪
３１  リング状の装飾体保持手段
４１  装身具本体
４２  凹部
４３  支柱
４４  底板
５１  装飾体
６１  リング状の装飾体保持手段
【図１】
2015039541.tif 000003
【図２】
2015039541.tif 000004
【図３】
2015039541.tif 000005
【図４】
2015039541.tif 000006
【図５】
2015039541.tif 000007
【図６】
2015039541.tif 000008
【図７】
2015039541.tif 000009
【図８】
2015039541.tif 000010
【図９】
2015039541.tif 000011
【図１０】
2015039541.tif 000012
【図１１】
2015039541.tif 000013
【図１２】
2015039541.tif 000014
【図１３】
2015039541.tif 000015
【図１４】
2015039541.tif 000016
【図１５】
2015039541.tif 000017
【図１６】
2015039541.tif 000018
【図１７】
2015039541.tif 000019
【図１８】
2015039541.tif 000020
【図１９】
2015039541.tif 000021
【図２０】
2015039541.tif 000022
【図２１】
2015039541.tif 000023
【図２２】
2015039541.tif 000024
【図２３】
2015039541.tif 000025
【図２４】
2015039541.tif 000026
【図２５】
2015039541.tif 000027
【図２６】
2015039541.tif 000028
【図２７】
2015039541.tif 000029
【図２８】
2015039541.tif 000030